(57)【要約】  無線通信システム内の制御情報を送信するための技術が記述される。ユーザ機器（ＵＥ）は、制御情報（例えば、ＣＱＩ情報）を周期的に送信するように構成され得、制御情報を送信するために制御リソースの割り当てを受信し得る。ＵＥは、さらにデータを送信するためにデータリソースの割り当て（例えば動的な割り当て又は半持続性の割り当て）を受信し得る。ＵＥは、（ｉ）制御及びデータリソースが期間内に重ならない場合には制御リソース上で、（ｉｉ）制御及びデータリソースが期間内に重なる場合にはデータリソースの指定された部分上で、制御情報を送信し得る。ＵＥは、制御リソース又はデータリソースの指定された部分上で送信される制御情報に対して、少なくとも１つのＳＣ−ＦＤＭＡ符号を生成し得る。ＵＥは、各ＳＣ−ＦＤＭＡ符号の単一の搬送波の波形を維持することができる。【選択図】図６
2012501597.tif 000002
【特許請求の範囲】
【請求項１】
ユーザ機器（ＵＥ）によって、制御情報を周期的に送信するために第１リソースの第１割り当てを受信することと、
前記ＵＥによってデータを送信するために第２リソースの第２割り当てを受信することと、
前記第１及び第２リソースが期間内に重ならない場合、前記第１リソース上で前記制御情報を送信することと、
前記第１及び第２リソースが期間内に重なる場合、前記第２リソースの指定された部分上で前記制御情報を送信することとを具備する無線通信のための方法。
【請求項２】
前記第１リソース又は前記第２リソースの指定された部分上で送信される前記制御情報を含む少なくとも１つの単一搬送波の周波数分割多重アクセス（ＳＣ−ＦＤＭＡ）符号を生成することをさらに具備する請求項１記載の方法。
【請求項３】
前記制御情報は、チャネル品質インジケータ（ＣＱＩ）情報を含む請求項１記載の方法。
【請求項４】
前記第１リソースは物理アップリンク制御チャネル（ＰＵＣＣＨ）のためのものであり、前記第２リソースは物理アップリンク共有チャネル（ＰＵＳＣＨ）のためのものである請求項１記載の方法。
【請求項５】
前記第２リソースは、各リソースブロックが複数のリソース要素を含む、少なくとも１つのリソースブロックを含み、前記第２リソースの指定された部分は、前記少なくとも１つのリソースブロック内の指定されたリソース要素のセットを含む請求項１記載の方法。
【請求項６】
前記指定されたリソース要素のセットは、隣接するリソース要素を含む請求項５記載の方法。
【請求項７】
前記指定されたリソース要素のセットは、少なくとも１つのリソースブロックの内の１以上を越えて割り当てられたリソース要素を含む請求項５記載の方法。
【請求項８】
前記第２割り当ては、単一のデータ伝送のための動的な割り当てを含む請求項１記載の方法。
【請求項９】
前記第２割り当ては、複数のデータ伝送のための半持続性の割り当てを含む請求項１記載の方法。
【請求項１０】
前記制御情報が前記第２リソースの指定された部分内で送信される場合、前記第２リソースの残りの部分上で、不連続な伝送（ＤＴＸ）を送信することをさらに具備する請求項９記載の方法。
【請求項１１】
前記第１及び第２割り当ては、別々の割り当てである請求項１記載の方法。
【請求項１２】
前記第１及び第２割り当ては、共同の割り当てによって与えられる請求項９記載の方法。
【請求項１３】
前記第１及び第２リソースの割り当てを解除する第２の共同割り当てを受信することをさらに具備する請求項１２記載の方法:
【請求項１４】
前記第１及び第２リソースが同じサブフレーム内にある場合、前記リソースは期間内に重なり、前記前記第１及び第２リソースが異なるサブフレーム内にある場合、前記リソースは期間内に重ならない請求項１記載の方法。
【請求項１５】
ユーザ機器（ＵＥ）によって制御情報を周期的に送信するために第１リソースの第１割り当てを受信するための手段と、
前記ＵＥによってデータを送信するために第２リソースの第２割り当てを受信するための手段と、
前記第１及び第２リソースが期間内に重ならない場合、前記第１リソース上で前記制御情報を送信するための手段と、
前記第１及び第２リソースが期間内に重なる場合、前記第２リソースの指定された部分上で前記制御情報を送信するための手段とを具備する無線通信のための装置。
【請求項１６】
前記第１リソース、又は前記第２リソースの指定された部分上で送信される前記制御情報を含む、少なくとも１つの単一搬送波の周波数分割多重アクセス（ＳＣ−ＦＤＭＡ）符号を生成するための手段をさらに具備する請求項１５記載の装置。
【請求項１７】
前記制御情報は、チャネル品質インジケータ（ＣＱＩ）情報を含み、前記第１リソースは物理アップリンク制御チャネル（ＰＵＣＣＨ）のためのものであり、前記第２リソースは物理アップリンク共有チャネル（ＰＵＳＣＨ）のためのものである請求項１５記載の装置。
【請求項１８】
前記第２割り当ては、複数のデータ伝送のための半持続性の割り当てを含む請求項１５記載の装置。
【請求項１９】
ユーザ機器（ＵＥ）によって制御情報を周期的に送信するために第１リソースの第１割り当てを受信し、前記ＵＥによってデータを送信するために第２リソースの第２割り当てを受信し、前記第１及び第２リソースが期間内に重ならない場合に、前記第１リソース上で前記制御情報を送信し、前記第１及び第２リソースが期間内に重なる場合に、前記第２リソースの指定された部分上で前記制御情報を送信するように構成される少なくとも１つのプロセッサを具備する無線通信のための装置。
【請求項２０】
前記少なくとも１つのプロセッサは、前記第１リソース、又は前記第２リソースの指定された部分上で送信される前記制御情報を含む、少なくとも１つの単一搬送波の周波数分割多重アクセス（ＳＣ−ＦＤＭＡ）符号を生成するように構成される請求項１９記載の装置。
【請求項２１】
前記制御情報はチャネル品質インジケータ（ＣＱＩ）情報を含み、前記第１リソースは物理アップリンク制御チャネル（ＰＵＣＣＨ）のためのものであり、前記第２リソースは物理アップリンク共有チャネル（ＰＵＳＣＨ）のためのものである請求項１９記載の装置。
【請求項２２】
前記第２割り当ては、複数のデータ伝送のための半持続性の割り当てを含む請求項１９記載の装置。
【請求項２３】
少なくとも１つのコンピュータに、ユーザ機器（ＵＥ）によって制御情報を周期的に送信するために第１リソースの第１割り当てを受信させるためのコードと、
前記少なくとも１つのコンピュータに、前記ＵＥによってデータを送信するために第２リソースの第２割り当てを受信させるためのコードと、
前記第１及び第２リソースが期間内に重ならない場合、前記少なくとも１つのコンピュータに、前記第１リソース上で前記制御情報を送信させるためのコードと、
前記第１及び第２リソースが期間内に重なる場合、前記少なくとも１つのコンピュータに、前記第２リソースの指定された部分上で、前記制御情報を送信させるためのコードとを含むコンピュータ読み取り可能な媒体を具備するコンピュータプログラムプロダクト。
【請求項２４】
ユーザ機器（ＵＥ）によって制御情報を周期的に送信するために第１リソースの第１割り当てを送信することと、
前記ＵＥによってデータを送信するために第２リソースの第２割り当てを送信することと、
前記第１及び第２リソースが期間内に重ならない場合、前記第１リソース上で前記制御情報を受信することと、
前記第１及び第２リソースが期間内に重なる場合に、前記第２リソースの指定された部分上で前記制御情報を受信することとを具備する無線通信のための方法。
【請求項２５】
前記制御情報はチャネル品質インジケータ（ＣＱＩ）情報を含み、前記第１リソースは物理アップリンク制御チャネル（ＰＵＣＣＨ）のためのものであり、前記第２リソースは物理アップリンク共有チャネル（ＰＵＳＣＨ）のためのものである請求項２４記載の方法。
【請求項２６】
前記第２リソースは、各リソースブロックが複数のリソース要素を含む、少なくとも１つのリソースブロックを含み、前記第２リソースの指定された部分は、少なくとも１つのリソースブロック内の指定されたリソース要素のセットを含む請求項２４記載の方法。
【請求項２７】
前記第２割り当ては、単一のデータ伝送のための動的な割り当てを含む請求項２４記載の方法。
【請求項２８】
前記第２割り当ては、複数のデータ伝送のための半持続性の割り当てを含む請求項２４記載の方法。
【請求項２９】
ユーザ機器（ＵＥ）によって制御情報を周期的に送信するために第１リソースの第１割り当てを送信するための手段と、
前記ＵＥによってデータを送信するために第２リソースの第２割り当てを送信するための手段と、
前記第１及び第２リソースが期間内に重ならない場合、前記第１リソース上で前記制御情報を受信するための手段と、
前記第１及び第２リソースが期間内に重なる場合、前記第２リソースの指定された部分上で前記制御情報を受信するための手段とを具備する無線通信のための装置。
【請求項３０】
前記制御情報はチャネル品質インジケータ（ＣＱＩ）情報を含み、前記第１リソースは物理アップリンク制御チャネル（ＰＵＣＣＨ）のためのものであり、前記第２リソースは物理アップリンク共有チャネル（ＰＵＳＣＨ）のためのものである請求項２９記載の装置。
【請求項３１】
前記第２割り当ては、複数のデータ伝送のための半持続性の割り当てを含む請求項２９記載の装置。
【発明の詳細な説明】
【優先権の主張】
【０００１】
本願は、参照することによりここに明示的に組み込まれ、本願の譲受人に譲渡され、２００８年８月２７日に出願され、「ＰＵＳＣＨ上での制御及びデータの多重化」と題する米国仮出願第６１／０９２，１９３の優先権を主張する。
【技術分野】
【０００２】
本開示は、一般に通信に、より具体的には無線通信システムで制御情報を送信するための技術に関する。
【背景技術】
【０００３】
無線通信システムは、音声、ビデオ、パケットデータ、メッセージング、ブロードキャスト等のような様々な通信内容（content）を提供するために広く配置される。これら無線システムは、利用可能なシステムリソースを共有することにより、複数のユーザをサポートすることができる多重アクセスシステムであり得る。そのような多重アクセスシステムの例は、符号分割多重アクセス（ＣＤＭＡ）システム、時分割多重アクセス（ＴＤＭＡ）システム、周波数分割多重アクセス（ＦＤＭＡ）システム、直交ＦＤＭＡ（ＯＦＤＭＡ）システム、及び単一搬送波のＦＤＭＡ（ＳＣ−ＦＤＭＡ）システムを含む。
【０００４】
無線通信システムでは、基地局は、ダウンリンク上のユーザ機器（ＵＥ）にデータを送信し得、且つ／又はアップリンク上のＵＥからのデータを受信し得る。ダウンリンク（又はフォワードリンク）は、基地局からＵＥへの通信リンクを表し、アップリンク（又はリバースリンク）は、ＵＥから基地局への通信リンクを表す。ＵＥは、基地局に、ダウンリンクのチャネル品質を示すチャネル品質インジケータ（ＣＱＩ）情報のような制御情報を送信し得る。基地局は、ＵＥへのダウンリンク上でのデータ伝送をサポートするために制御情報を使用し得る。アップリンク上で制御情報を効率的に送信することは、ＵＥにとって望ましいであろう。
【発明の概要】
【０００５】
無線通信システムで制御情報を送信するための技術がここに記述される。ＵＥは、制御情報（例えば、ＣＱＩ情報）を周期的に送信するように構成され得、制御情報を送信するための制御リソースの第１割り当てを受信し得る。ＵＥは、データを送信するためのデータリソースの第２割り当ても受信し得る。第２割り当ては、単一のデータ伝送のための動的な割り当て、又は複数のデータ伝送のための半持続性（semi-persistent）の割り当てであり得る。制御リソースとデータリソースとが期間内に重ならない場合、例えば異なるサブフレーム内に存在する場合、ＵＥは、制御リソース上で制御情報を送信し得る。制御リソースとデータリソースとが期間内に重なる場合、例えば同一のサブフレーム内に存在する場合、ＵＥは、データリソースの指定された部分上で制御情報を送信し得る。ＵＥは、制御情報が送信される各符号期間内での１つのＳＣ−ＦＤＭＡ符号であって、制御リソース又はデータリソースの指定された部分上で送信される制御情報を含む少なくとも１つのＳＣ−ＦＤＭＡ符号を生成し得る。記述されているように、ＵＥは、制御情報を送信することにより、各ＳＣ−ＦＤＭＡ符号のための単一の搬送波の波形を維持することができる。
【０００６】
本開示の様々な態様及び特徴は、以下にさらに詳細に記述される。
【図面の簡単な説明】
【０００７】
【図１】図１は、無線通信システムを示す。
【図２】図２は、典型的な伝送の構造を示す。
【図３】図３は、動的な割り当てを伴うデータ伝送を示す。
【図４】図４は、半持続性の割り当てを伴うデータ伝送を示す。
【図５】図５は、アップリンク上での制御情報の周期的な送信を示す。
【図６】図６は、単一の搬送波の波形を維持するために、制御情報及びデータを多重化する設計を示す。
【図７】図７は、単一の搬送波の波形を維持するために、制御情報及びデータを多重化する設計を示す。
【図８】図８は、制御情報のためのリソースを予約する設計を示す。
【図９】図９は、制御情報を送信するプロセスを示す。
【図１０】図１０は、制御情報を送信するための装置を示す。
【図１１】図１１は、制御情報を受信するためのプロセスを示す。
【図１２】図１２は、制御情報を受信するための装置を示す。
【図１３】図１３は、ＵＥ及び基地局／ｅＮＢのブロック図を示す。
【発明を実施するための形態】
【０００８】
ここに記述された技術は、ＣＤＭＡ、ＴＤＭＡ、ＦＤＭＡ、ＯＦＤＭＡ、ＳＣ−ＦＤＭＡ、及び他のシステムのような様々な無線通信システムに使用され得る。「システム」及び「ネットワーク」という用語は、しばしば置き換え可能に用いられる。ＣＤＭＡシステムは、ユニバーサル地上無線アクセス（ＵＴＲＡ）、ｃｄｍａ２０００等のような無線技術を実装し得る。ＵＴＲＡは、広帯域ＣＤＭＡ（ＷＣＤＭＡ）及びＣＤＭＡの他の変形を含む。ｃｄｍａ２０００は、ＩＳ−２０００、ＩＳ−９５及びＩＳ−８５６規格をカバーする。ＴＤＭＡシステムは、移動体通信のためのグローバルシステム（ＧＳＭ（登録商標））のような無線技術を実装し得る。ＯＦＤＭＡシステムは、次世代ＵＴＲＡ（Ｅ−ＵＴＲＡ）、ウルトラモバイルブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、フラッシュＯＦＤＭ（登録商標）等のような無線技術を実装し得る。ＵＴＲＡ及びＥ−ＵＴＲＡは、ユニバーサルモバイルテレコミュニケーションシステム（ＵＭＴＳ）の一部である。３ＧＰＰのロングタームエボリューション（ＬＴＥ）と、ＬＴＥアドバンスド（ＬＴＥ−Ａ）とは、ダウンリンク上でＯＦＤＭＡを、アップリンク上でＳＣ−ＦＤＭＡを用いるＥ−ＵＴＲＡを使用するＵＭＴＳの新版である。ＵＴＲＡ、Ｅ−ＵＴＲＡ、ＵＭＴＳ、ＬＴＥ、ＬＴＥ−Ａ、及びＧＳＭは、「第三世代パートナーシッププロジェクト」（３ＧＰＰ）と称される組織が提供する文書に記述される。ｃｄｍａ２０００及びＵＭＢは、「第三世代パートナーシッププロジェクト２」（３ＧＰＰ２）と称される組織が提供する文書に記述される。ここに記述された技術は、他のシステム及び無線技術と同様に、上記のシステム及び無線技術に使用され得る。明瞭さのため、技術のある態様はＬＴＥに関して以下に記述され、ＬＴＥの用語が以下の記述の多くで使用される。
【０００９】
図１は、ＬＴＥシステム又は他のあるシステムであり得る、無線通信システム１００を示す。システム１００は、多くのＵＥのための各種サービスをサポートする、多くの次世代（evolved）ノードＢ（ｅＮＢｓ）及び他のネットワークエンティティを含み得る。明瞭さのために、１つだけのＵＥ１１０、１つだけのｅＮＢ１２０、及び１つだけのネットワークコントローラ１３０が、図１に示される。ｅＮＢ１２０は、ＵＥと通信し、ノードＢ、基地局、アクセスポイント等とも称され得るステーションであり得る。ｅＮＢ１２０は、ＵＥ１１０のために動作するｅＮＢであり得る。
【００１０】
ＵＥ１１０は、静止又は移動し得、モバイルステーション、ターミナル、アクセスターミナル、加入者ユニット、ステーション等とも称され得る。ＵＥ１１０は、携帯電話、パーソナルデジタルアシスタント（ＰＤＡ）、無線モデム、無線通信デバイス、ハンドヘルド装置、ラップトップコンピュータ、コードレス電話機、無線ローカルループ（ＷＬＬ）ステーション等であり得る。ＵＥ１１０は、ダウンリンク１２２及び／又はアップリンク１２４を介して、ｅＮＢ１２０に通信し得る。ＵＥ１１０は、ダウンリンク１２２を介してｅＮＢ１２０からデータ及び制御情報を受信し得、アップリンク１２４を介してデータ及び制御情報を送信し得る。
【００１１】
システムは、ダウンリンクのための物理チャネルのセットと、アップリンクのための別の物理チャネルのセットをサポートし得る。各物理チャネルは、データ、制御情報等を搬送し得る。表１は、ダウンリンク及びアップリンクのためにＬＴＥで使用されるいくつかの物理チャネルを列挙する。
【表１】
2012501597.tif 000003
【００１２】
ＬＴＥは、ダウンリンク上で直交周波数分割多重化（ＯＦＤＭ）を、アップリンク上で単一搬送波の周波数分割多重化（ＳＣ−ＦＤＭ）を利用する。ＯＦＤＭ及びＳＣ−ＦＤＭは、システムの帯域幅を、一般にトーン、ビン等とも称される複数（Ｋ）の直交する副搬送波に分割する。各副搬送波は、データで変調され得る。一般に、変調符号は、ＯＦＤＭでの周波数領域と、ＳＣ−ＦＤＭでの時間領域とで送信される。隣接した副搬送波間の間隔は固定され得、副搬送波の総数（Ｋ）はシステムの帯域幅に依存し得る。例えば、１．４、２．５、５、１０、又は２０ＭＨｚのシステムの帯域幅に対して、Ｋはそれぞれ１２８、２５６、５１２、１０２４、又は２０４８に等しくなり得る。
【００１３】
図２は、ダウンリンク及びアップリンクのそれぞれに使用され得る送信の構造２００を示す。送信のタイムラインは、サブフレーム単位に分割され得る。各サブフレームは、例えば１ミリセカンド（ｍｓ）である所定の持続時間を有し得、２つのスロットに分割され得る。各スロットは、Ｌ符号期間をカバーし得る。ここで、Ｌはサイクリックプリフィックスの長さに依存し得る。例えば、各スロットは、拡張されたサイクリックプリフィックスのためのＬ＝６である符号期間、又は通常のサイクリックプリフィックスのためのＬ＝７である符号期間をカバーし得る。
【００１４】
ダウンリンク及びアップリンクの各々のために、Ｍ個のリソースブロックが各スロット内で定義され得る。ここで、Ｍはシステムの帯域幅に依存し得る。各リソースブロックは、１つのスロット内で１２の副搬送波をカバーし得る。各リンクのために利用可能なリソースブロックは、そのリンク上でのデータ及び制御情報の伝送のためにＵＥに割り当てられ得る。
【００１５】
アップリンクについては、利用可能なリソースブロックは、ＰＵＳＣＨ領域及びＰＵＣＣＨ領域に分割され得る。図２に示されるように、ＰＵＣＣＨ領域は、システムの帯域幅の２つの境界の近くのリソースブロックを含み得る。ＰＵＣＣＨ領域は、ＵＥによってアップリンク上で送信される制御情報の予想される量に基づいて選択され得る、設定可能な（configurable）サイズを有し得る。ＰＵＳＣＨ領域は、ＰＵＣＣＨ領域に含まれないリソースブロックをすべて含み得る。図２の設計は、単一のＵＥにＰＵＳＣＨ領域内の隣接する（contiguous）リソースブロックがすべて割り当てられることを可能にし得る、隣接するリソースブロックを含むＰＵＳＣＨ領域に帰着する。
【００１６】
ＵＥ１１０には、ｅＮＢ１２０に制御情報を送信するために、ＰＵＣＣＨ領域内のリソースブロックが割り当てられ得る。ＵＥ１１０には、ｅＮＢ１２０にデータを送信するために、ＰＵＳＣＨ領域内のリソースブロックが割り当てられ得る。割り当てられたリソースブロックは、ペアにされ得、アップリンク伝送は、サブフレーム内の両方のスロットにまたがり得る。与えられたペア内の２つのリソースブロックは、周波数ホッピングが用いられない場合には同一の副搬送波のセットを占有し得、また、周波数ホッピングが用いられる場合には異なる副搬送波のセットを占有し得る。
【００１７】
システムは、データ伝送のためのリソースの動的な割り当て及び半持続性の割り当てをサポートし得る。動的な割り当ては、単一のデータ伝送のための又は短期間のためのリソースを割り当て得る。半持続性の割り当ては、延長された期間内、もしくは割り当てが無効にされるまでの無期限の（indefinite）期間の間ずっと、又は最後に送信されたデータの所定の期間内に、よりデータが送信される間ずっと、複数のデータの伝送のためのリソースを割り当て得る。
【００１８】
図３は、動的な割り当てを伴うアップリンク上でのデータ伝送を示す。ＵＥ１１０は、アップリンク上で送信するためのデータを有し得、時間Ｔ１１にＰＵＣＣＨ上でアップリンクリソースのための要求を送信し得る。ｅＮＢ１２０は、ＵＥ１１０からリソース要求を受信し得、時間Ｔ１２にＰＤＣＣＨ上で動的なアップリンク（ＵＬ）許可を返し得る。アップリンク許可は、リソース割り当て、リソース許可等とも称され得る。アップリンク許可は、アップリンク上でデータを送信するためにＵＥ１１０に割り当てられたリソースを伝え（convey）得る。割り当てられたリソースは、ＰＵＳＣＨ及び／又は他のリソース（例えば、１つ以上のコード）上の１つ以上のリソースブロックを含み得る。ＵＥ１１０は、パケット（又はトランスポートブロック）を処理し得、時間Ｔ１３にＰＵＳＣＨ上で、割り当てられたリソースを使用して、パケットを送信し得る。データ伝送は１つのサブフレームに及び（span）得、ＰＵＳＣＨにマップされるトランスポートチャネルであるアップリンク共有チャンネル（ＵＬ−ＳＣＨ）上で送信され得る。
【００１９】
しばらく経って、ＵＥ１１０は、送信するためのさらなるデータを有し得、時間Ｔ１４にＰＵＣＣＨ上でリソース要求を送信し得る。ｅＮＢ１２０は、リソース要求を受信し得、時間Ｔ１５にＰＤＣＣＨ上で動的なアップリンク許可を返し得る。ＵＥ１１０は、別のパケットを処理し得、時間Ｔ１６にＰＵＳＣＨ上で、割り当てられたリソースを使用して、パケットを送信し得る。ＵＥ１１０は、同様の方法でアップリンク上でより多くのデータを送信し得る。
【００２０】
明瞭さのために、図３は、各アップリンク許可のためにＵＥ１１０によって送信される、単一のパケットの伝送を示す。一般に、ＵＥ１１０は、パケットの伝送を送信し得、パケットがｅＮＢ１２０によって正確に復号されるまで、又は最大回数の再送が送信されるまで、１以上の再送も送信し得る。ＵＥ１１０は、オリジナルのアップリンク許可に、又は後続するアップリンク許可に割り当てられたリソース上で、各再送を送信し得る。
【００２１】
図４は、半持続性の割り当てでのアップリンク上のデータ伝送を示す。ＵＥ１１０は、アップリンク上で送信するためのデータを有し得、時間Ｔ２１にアップリンクのための半持続性のリソースに関する要求を送信し得る。ｅＮＢ１２０は、ＵＥ１１０からのリソース要求を受信し得、時間Ｔ２２に半持続性のアップリンク許可を返し得る。半持続性のアップリンク許可は、アップリンク上でデータを伝送することや、割り当てられたリソースが有効である持続時間等のために、ＵＥ１１０に割り当てられたリソースを伝え得る。割り当てられたリソースは、特定のサブフレーム及び／又は他のリソース内の１つ以上のリソースブロックを含み得る。ＵＥ１１０は、時間Ｔ２３にＰＵＳＣＨの上で、割り当てられたリソースを使用して、第１パケットを送信し得る。ＵＥ１１０は、時間Ｔ２４、Ｔ２５等に、割り当てられたリソースを使用して、追加のパケットを送信し得る。半持続性のアップリンク許可は、時間Ｔ２Ｘでの最後のデータ伝送の後に終了し得る。
【００２２】
ＵＥ１１０は、ｅＮＢ１２０に制御情報を周期的に送信するように構成され得る。制御情報は、ＣＱＩ情報及び／又は他のチャネル状態情報（ＣＳＩ）を含み得る。
【００２３】
図５は、アップリンク上での制御情報の周期的な送信を示す。ＵＥ１１０は、（例えば、上位のレイヤによって）Ｑサブフレーム毎に、ＰＵＣＣＨ上で制御情報が周期的に送信されるように構成される。ここで、Ｑは任意の整数値であり得る。例えば、ＵＥ１１０は、２ミリセカンド、５ミリセカンド、１０ミリセカンド等毎に、制御情報を周期的に送信するように構成され得る。ＵＥ１１０には、制御情報を送信するために、特定のサブフレーム内の１以上のリソースブロックが割り当てられ得る。割り当ては、所定の期間、又はそれが無効にされるまでの無期限の持続時間に対して為され得る。
【００２４】
制御情報は、ダウンリンク及び／又はアップリンク上でのデータ伝送をサポートするために使用され得る。例えば、ＵＥ１１０は、いつそれがｅＮＢ１２０によって供給されるかわからないかもしれない。したがって、ＵＥ１１０は、割り当てられたサブフレームｔ，ｔ＋Ｑ，ｔ＋２Ｑ等のそれぞれにおいて割り当てられたリソースブロック上で、周期的にＣＱＩ情報を送信し得る。もしｅＮＢ１２０がＵＥ１１０のために働く（serve）ことを決定するときには、これは、ｅＮＢ１２０がＵＥ１１０のための最新のＣＱＩ情報を持つことを可能にし得る。ＵＥ１１０が、与えられたサブフレーム内のダウンリンク上でのデータ伝送のために、ｅＮＢ１２０によってスケジュールされる場合、ｅＮＢ１２０は、ＵＥ１１０へのデータ伝送に適切なトランスポートフォーマット（又は変調及び符号化方式）を決定するために、ＵＥ１１０からの最近のＣＱＩ情報を使用し得る。
【００２５】
ＵＥ１１０は、例えば、図５に示されるように、ｅＮＢ１２０に制御情報を周期的に送信するように構成され得る。ＵＥ１１０は、さらに、ｅＮＢ１２０にデータを送信するための動的又は半持続性の割り当てを受信し得る。制御情報を送信するために割り当てられたリソースは、ＰＵＣＣＨのためのものであり得、ＰＵＣＣＨリソース、制御リソース等と称され得る。データを送信するために割り当てられたリソースは、ＰＵＳＣＨのためのものであり得、ＰＵＳＣＨリソース、データリソース等と称され得る。制御情報だけが、もしくはデータだけが、又は制御情報とデータの両方が送信されるか否かにかかわらず、単一の搬送波の波形を維持することができるように、制御情報及びデータを送信することがＵＥ１１０にとって望ましいかもしれない。単一の搬送波の波形は、ＳＣ−ＦＤＭＡを使用して、隣接する副搬送波のセット上で情報（例えば、制御情報及び／又はデータ）を送信することにより得られ得る。単一の搬送波の波形は、望ましい、より低いピーク対平均電力比（ＰＡＰＲ）を有し得る。例えば、より低いＰＡＰＲは、ＵＥ１１０が、効率を改善し得、且つより高いピークの出力電力を可能にし得る、より小さなバックオフでその電力増幅回路（amplifier）を操作することを可能にし得る。
【００２６】
ある態様では、データが送信されていない場合、制御情報はＰＵＣＣＨリソース上で送信され得、データが送信されている場合、ＰＵＳＣＨリソースの指定された部分で送信され得る。これは、制御情報及び／又はデータが送信されているかどうかにかかわらず単一の搬送波の波形を保存するだろう。これは、（ＰＵＣＣＨにマップされ得る）周期的な制御情報と、（動的又は半持続性の割り当てでＰＵＳＣＨにマップされ得る）データの多重化をさらに可能にし得る。
【００２７】
図６は、単一の搬送波の波形を維持するために、制御情報とデータとを多重化する設計を示す。ＵＥ１１０は、Ｑサブフレーム毎にｅＮＢ１２０に制御情報（例えば、ＣＱＩ情報）を周期的に送信するように構成され得、制御情報を送信するためにＰＵＣＣＨリソースが割り当てられ得る。送信するデータがない場合、ＵＥ１１０は、サブフレームｔ内の割り当てられたＰＵＣＣＨリソース上で制御情報を送信し得る。ＵＥ１１０は、サブフレームｔ＋１内で動的な割り当てを受信し得、その動的な割り当てによって割り当てられたＰＵＳＣＨリソース上でデータを送信し得る。
【００２８】
ＵＥ１１０は、サブフレームｔ＋Ｑ内の動的又は半持続性の割り当てを受信し得、データを送信するためのＰＵＳＣＨリソースが割り当てられ得る。ＵＥ１１０には、さらにサブフレームｔ＋Ｑ内の制御情報を送信するためのＰＵＣＣＨリソースが割り当てられ得る。ＵＥ１１０は、割り当てられたＰＵＳＣＨリソースの指定された部分上で制御情報を送信し得、サブフレームｔ＋Ｑ内の割り当てられたＰＵＳＣＨリソースの残りの部分上でデータを送信し得る。ＵＥ１１０は、サブフレームｔ＋Ｑ内の割り当てられたＰＵＣＣＨリソース上で何も送信しないかもしれない。データのために割り当てられたＰＵＳＣＨリソースがない場合、ＵＥ１１０は、サブフレームｔ＋２Ｑ内の割り当てられたＰＵＣＣＨリソース上で制御情報を送信し得る。
【００２９】
図７は、半持続性の割り当てを伴う、制御情報及びデータの多重化の設計を示す。ＵＥ１１０は、Ｑサブフレーム毎に制御情報を周期的に送信するように構成され得、制御情報を送信するためのＰＵＣＣＨリソースが割り当てられ得る。ＵＥ１１０は、さらに半持続性の割り当てを受信し得、２Ｑサブフレーム毎にデータを送信するためにＰＵＳＣＨリソースが割り当てられ得る。
【００３０】
ＰＵＳＣＨリソースが割り当てられない場合、ＵＥ１１０は、サブフレームｔ内で割り当てられたＰＵＣＣＨリソース上で制御情報を送信し得る。ＵＥ１１０は、割り当てられたＰＵＳＣＨリソースの指定された部分上で制御情報を送信し得、サブフレームｔ＋Ｑ内で割り当てられたＰＵＳＣＨリソースの残りの部分上でデータを送信し得る。ＵＥ１１０にサブフレームｔ＋Ｑ内で送信するデータがない場合、ＵＥ１１０は、（ｉ）割り当てられたＰＵＳＣＨリソースの残りの部分上で、不連続の伝送（ＤＴＸ）を送信し、もしくは何も送信しない、又は（ｉｉ）割り当てられたＰＵＳＣＨリソースを埋めるパディングを使用し得る。パディングは、既知の符号を含み得る。ＵＥ１１０は、サブフレームｔ＋Ｑ内で割り当てられたＰＵＣＣＨリソース上で、何も送信しないかもしれない。
【００３１】
ＰＵＳＣＨリソースが割り当てられないとき、ＵＥ１１０は、サブフレームｔ＋２Ｑ内で割り当てられたＰＵＣＣＨリソース上で制御情報を送信し得る。ＵＥ１１０は、サブフレームｔ＋３Ｑ内で割り当てられたＰＵＳＣＨリソース上で、（もしあれば）制御情報及びデータを送信し得る。ＵＥ１１０は、残りのサブフレームについて同様の方法で制御情報とデータとを送信し得る。
【００３２】
ある設計では、データに対する半持続性の割り当て、そして制御情報に対する周期的な割り当てのために、個別の割り当てが用いられる。半持続性の割り当ては、データを送信するために割り当てられたＰＵＳＣＨリソースを伝え得、周期的な割り当ては、制御情報を送信するために割り当てられたＰＵＣＣＨリソースを伝え得る。各割り当ては独立して送信され得、いつでも開始し、終了し得る。
【００３３】
別の設計では、単一の共同の（joint）割り当ては、データのための半持続性の割り当て及び制御情報のための周期的な割り当ての両方のために送信され得る。共同の割り当ては、データを送信するために割り当てられたＰＵＳＣＨリソース、及び制御情報の送信のために割り当てられたＰＵＣＣＨリソースの両方を伝え得る。共同の割り当ては、割り当てられたＰＵＳＣＨリソースと割り当てられたＰＵＣＣＨリソースとを同時に開始し、且つ終了し得る。また、共同のリリースメッセージは、ＰＵＳＣＨリソース及びＰＵＣＣＨリソースの両方を、解除する（de-assign）又は解放する（release）ために送信され得る。
【００３４】
図８は、制御情報のためのリソースを予約する設計を示す。リソースブロックは、通常のサイクリックプリフィックスに対して７符号期間内での１２の副搬送波をカバーし得、８４のリソース要素（element）を含み得る。各リソース要素は、１つの符号期間内の１つの副搬送波をカバーし得、実数又は複素数の値であり得る１つの変調符号を送信するために使用され得る。
【００３５】
図８に示される設計では、ＰＵＳＣＨのためのリソースブロック８１０は、データを送信するためにＵＥ１１０に割り当てられ得、制御情報を送信するために予約された、指定された部分８２０を有し得る。図８に示される例では、指定された部分８２０は、リソースブロック８１０内の上から３行のリソース要素内に２１のリソース要素を含む。一般に、制御情報のための指定された部分８２０は、リソースブロック８１０内で、あらゆる数のリソース要素と、そのリソース要素の内の任意の１つとを含み得る。予約するリソース要素の数は、送信する制御情報の量に依存し得る。予約する特定のリソース要素は、様々な要因に依存し得る。ある設計では、隣接するリソース要素が、例えば、図８に示されるように予約され得る。この設計は、ＵＥ１１０及びｅＮＢ１２０での処理を単純化し得る。別の設計では、リソースブロック８１０のいたる所に割り当てられたリソース要素が予約され得る（図８に図示せず）。 割り当てられるリソース要素は、インターリービング方式又は他のある関数によって決定され得る。この設計は、時間及び／又は周波数ダイバーシティを提供し得る。さらに別の設計では、検出性能を改善し得る、パイロットリソース要素の近くのリソース要素が予約され得る。パイロットリソース要素は、トランスミッタ及びレシーバによって演繹的に知られる情報である、参照信号又はパイロットを送信するために使用されるリソース要素であり得る。制御情報のためのリソース要素も、他の方法で予約され得る。
【００３６】
図６に示されるように、制御情報（例えば、ＣＱＩ）に対して割り当てられたＰＵＣＣＨリソースが、動的なアップリンク許可内に割り当てられたＰＵＳＣＨリソースと、期間内に重なる（coincide in time）場合、ＵＥ１１０は、動的なアップリンク許可内に割り当てられたＰＵＳＣＨリソース上で制御情報を送信し得る。図７に示されるように、制御情報のために割り当てられたＰＵＣＣＨリソースが、半持続性のアップリンク許可内に割り当てられたＰＵＳＣＨリソースと期間内に重なる場合、ＵＥ１１０は、半持続性のアップリンク許可内に割り当てられたＰＵＳＣＨリソース上で制御情報を送信し得る。動的及び半持続性の両方のアップリンク許可について、多重化規則は、割り当てられたＰＵＳＣＨリソース内のいずれのリソース要素が制御情報に対して指定又は予約されるかと、制御情報とデータとが、割り当てられたＰＵＳＣＨリソースの内の同一のリソースブロックにマップされている場合に、いずれのリソース要素がデータに対して指定されるかとを定義し得る。半持続性のアップリンク許可について、ＵＥ１１０は、ＵＥ１１０が送信するデータがない場合、データのために指定されるリソース要素上でＤＴＸ伝送を送信し得る。
【００３７】
図９は、無線通信システム内で制御情報を送信するためのプロセス９００の設計を示す。プロセス９００は、（以下に記述されるように）ＵＥによって、又は他のあるエンティティによって実行され得る。ＵＥは、制御情報（例えば、ＣＱＩ情報）を周期的に送信するために、第１リソース（例えば、ＰＵＣＣＨリソース）の第１割り当てを受信し得る（ブロック９１２）。ＵＥは、さらにデータを送信するために、第２リソース（例えば、ＰＵＳＣＨリソース）の第２割り当てを受信し得る（ブロック９１４）。第１及び第２リソースが期間内に重ならない場合、例えば異なるサブフレーム内に存在する場合、ＵＥは、第１リソース上で制御情報を送信し得る（ブロック９１６）。第１及び第２リソースが期間内に重なる場合、例えば同じサブフレーム内に存在する場合、ＵＥは、第２リソースの指定された部分上で制御情報を送信し得る（ブロック９１８）。ＵＥは、第１リソース、又は第２リソースの指定された部分上で送信される制御情報を含む、少なくとも１つのＳＣ−ＦＤＭＡ符号を生成し得（ブロック９２０）、１つのＳＣ−ＦＤＭＡ符号は、制御情報が送信される各符号期間のために生成され得る。ＵＥは、上述のような制御情報を送信することにより、各ＳＣ−ＦＤＭＡ符号について単一の搬送波の波形を維持することができる。
【００３８】
ある設計では、第２リソースは、複数のリソース要素を含む各リソースブロックで、少なくとも１つのリソースブロックを含み得る。第２リソースの指定された部分は、少なくとも１つのリソースブロック内の指定されたリソース要素のセットを含み得る。例えば、指定されたリソース要素のセットは、隣接するリソース要素を含み得（例えば、図８に示されるように）、又は１以上のリソースブロックを越えて割り当てられたリソース要素を含み得る。
【００３９】
ある設計では、第２割り当ては、例えば、図３に示されるように、単一のデータ伝送のための動的な割り当てを含み得る。別の設計では、第２割り当ては、例えば図４に示されるように、複数のデータ伝送のための半持続性の割り当てを含み得る。この際、制御情報が第２リソースの指定された部分内で送信され、且つデータが送信されていない場合、ＵＥは、第２リソースの残りの部分上でＤＴＸを送信し得る。第１及び第２割り当ては、別々の割り当てであり得る。また、第１及び第２割り当ては、共同の割り当てによって与えられ得、ＵＥは、第１及び第２リソースを解除する第２の共同の割り当てを受信し得る。
【００４０】
図１０は、無線通信システム内で制御情報を送信するための装置１０００の設計を示す。装置１０００は、ＵＥによって制御情報を周期的に送信するための第１リソースの第１割り当てを受信するモジュール１０１２、ＵＥによってデータを送信するための第２リソースの第２割り当てを受信するモジュール１０１４、第１及び第２リソースが期間内に重ならない場合に、第１リソース上で制御情報を送信するモジュール１０１６、第１及び第２リソースが期間内に重なる場合に、第２リソースの指定された部分上で制御情報を送信するモジュール１０１８、並びに第１リソース又は第２リソースの指定された部分上で送信される制御情報を含む少なくとも１つのＳＣ−ＦＤＭＡ符号を生成するモジュール１０２０を含む。
【００４１】
図１１は、無線通信システム内で制御情報を受信するためのプロセス１１００の設計を示す。プロセス１１００は、（以下に述べるように）ｅＮＢ又は他のあるエンティティによって実行され得る。ｅＮＢは、ＵＥによって制御情報（例えば、ＣＱＩ情報）を周期的に送信するための第１リソース（例えば、ＰＵＣＣＨリソース）の第１割り当てを送信し得る（ブロック１１１２）。ｅＮＢは、さらに、ＵＥによってデータを送信するための第２リソース（例えば、ＰＵＳＣＨリソース）の第２割り当て（例えば、動的な割り当て又は半持続性の割り当て）を送信し得る（ブロック１１１４）。第１及び第２リソースが期間内に重ならない場合、ｅＮＢは第１リソース上で制御情報を受信し得る（ブロック１１１６）。第１及び第２リソースが期間内に重なる場合、ｅＮＢは第２リソースの指定された部分上で制御情報を受信し得る（ブロック１１１８）。図９について上述されたように、第１及び第２割り当てが送信され得る。上述されたように、第２リソースの指定された部分が定義され得る。
【００４２】
図１２は、無線通信システム内の制御情報を受信するための装置１２００の設計を示す。装置１２００は、ＵＥによって制御情報を周期的に送信するための第１リソースの第１割り当てを送信するモジュール１２１２、ＵＥによってデータを送信するための第２リソースの第２割り当てを送信するモジュール１２１４、第１及び第２リソースが期間内に重ならない場合に、第１リソース上で制御情報を受信するモジュール１２１６、及び第１及び第２リソースが期間内に重なる場合に、第２リソースの指定された部分上で制御情報を受信するモジュール１２１８を含む。
【００４３】
図１０及び図１２内のモジュールは、プロセッサ、エレクトロニクスデバイス、ハードウェアデバイス、エレクトロニクスコンポーネント、論理回路、メモリ、ソフトウェアコード、ファームウェアコード等、又はそれらの任意の組合せを含む。
【００４４】
図１３は、ＵＥ１１０及びｅＮＢ１２０の設計のブロック図を示す。この設計では、ＵＥ１１０はＴ個のアンテナ１３３４ａから１３３４ｔを備え、ｅＮＢ１２０はＲ個のアンテナ１３５２ａから１３５２ｒを備える。ここで一般に、Ｔ≧１  且つ  Ｒ≧１である。
【００４５】
ＵＥ１１０では、送信プロセッサ１３２０は、データソース１３１２からデータを受信し、１以上の変調及び符号化方式に基づいてデータを処理し（例えば、符号化する、インタリーブする、変調する）、データ符号を供給し得る。送信プロセッサ１３２０は、さらに、コントローラ／プロセッサ１３４０からの制御情報（例えば、ＣＱＩ及び／又は他の情報）を処理し、制御符号を供給し得る。送信プロセッサ１３２０は、さらに参照／パイロット符号を生成し得る。送信プロセッサ１３２０は、データが制御情報と同時に送信されていない場合にはＰＵＳＣＨリソースに、データが送信されていない場合にはＰＵＣＣＨリソースに、制御符号をマップし得る。送信（ＴＸ）多入力多出力（ＭＩＭＯ）プロセッサ１３３０は、データ符号、制御符号及び参照符号を受信し得る。プロセッサ１３３０は、適用可能な場合、受信符号に対してプリコーディングを実行し得、Ｔ出力符号ストリームをＴ変調器（ＭＯＤｓ）１３３２ａから１３３２ｔに供給し得る。各変調器１３３２は、出力サンプルストリームを取得するために、それぞれの出力符号ストリーム（例えば、ＳＣ−ＦＤＭＡのための）を処理し得る。各変調器１３３２は、さらに、アップリンク信号を取得するために出力サンプルストリームプロセスを処理（例えば、アナログに変換する、増幅する、フィルタリングする、アップコンバートする）し得る。変調器１３３２ａから１３３２ｔまでからのＴ個のアップリンク信号は、Ｔ個のアンテナ１３３４ａから１３３４ｔを介して、それぞれ送信され得る。
【００４６】
ｅＮＢ１２０では、アンテナ１３５２ａから１３５２ｒは、ＵＥ１１０からアップリンク信号を受信し得、復調器（ＤＥＭＯＤｓ）１３５４ｒから１３５４ａに受信された信号を供給し得る。各復調器１３５４は、入力サンプルを得るためにそれぞれ受信された信号を調整（例えば、フィルタリングする、増幅する、ダウンコンバートする、デジタル化する）し得る。各復調器１３５４は、さらに、受信された符号を得るために入力サンプル（例えば、ＳＣ−ＦＤＭＡのための）を処理し得る。ＭＩＭＯ検出器１３５６は、Ｒ個の復調器１３５４ａから１３５４ｒまでの全てから受信された符号を取得し、適用可能であれば受信された符号に対してＭＩＭＯ検出を実行し、検出された符号を供給し得る。受信プロセッサ１３５８は、検出された符号を処理し（例えば、復調する、ディインタリーブする、復号する）、データシンク１３６０に復号されたデータを供給し、コントローラ／プロセッサ１３８０に復号された制御情報を供給し得る。
【００４７】
ダウンリンクにおいて、ｅＮＢ１２０では、データソース１３６２からのデータと、コントローラ／プロセッサ１３８０からの制御情報（例えば、リソース割り当て又は許可のための）とは、送信プロセッサ１３６４によって処理され、適用可能であればＴＸ  ＭＩＭＯプロセッサ１３６６によってプリコードされ、変調器１３５４ａから１３５４ｒによって調整され、ＵＥ１１０に送信され得る。ＵＥ１１０では、ｅＮＢ１２０からのダウンリンク信号は、アンテナ１３３４によって受信され、復調器１３３２によって調整され、適用可能であればＭＩＭＯ検出器１３３６によって処理され、ＵＥ１１０に送信されるデータ及び制御情報を取得するために受信プロセッサ１３３８によってさらに処理され得る。
【００４８】
コントローラ／プロセッサ１３４０及び１３８０は、ＵＥ１１０及びｅＮＢ１２０での操作をそれぞれ指示し得る。プロセッサ１３４０並びに／又は他のプロセッサ及びＵＥ１１０でのモジュールは、図９内のプロセス９００、及び／又はここに記述された技術のための他のプロセスを実行又は指示し得る。プロセッサ１３８０並びに／又は他のプロセッサ及びｅＮＢ１２０でのモジュールは、図１１内のプロセス１１００及び／又は個々に記述された技術のための他のプロセスを実行又は指示し得る。メモリ１３４２及び１３８２は、ＵＥ１１０及びｅＮＢ１２０のためのデータとプログラムコードとをそれぞれ格納し得る。スケジューラ１３８４は、データ伝送のためにＵＥをスケジューリングし得、さらに制御情報の周期的な送信のためにＵＥをスケジューリングし得る。スケジューラ１３８４は、スケジューリングされたＵＥのためにリソースを割り当て得る。
【００４９】
当業者は、様々な異なる技術及び技法の内のいずれかを用いて、情報と信号とが表現され得ることを理解するであろう。例えば、上記の記述の全体にわたって言及され得るデータ、命令、コマンド、情報、信号、ビット、符号、及びチップは、電圧、電流、電磁波、磁気的な場もしくは粒子、光学的な場もしくは粒子、又はそれらの任意の組合せによって表現され得る。
【００５０】
当業者は、ここでの開示に関連して記述された、様々な実例となる論理ブロック、モジュール、回路、及びアルゴリズムステップが、エレクトロニックハードウェア、コンピュータソフトウェア、又は両者の組み合わせとして実装され得ることをさらに認識するであろう。このハードウェアとソフトウェアとの互換性をはっきりと説明するために、様々な実例となるコンポーネント、ブロック、モジュール、回路、及びステップが、それらの機能の観点から一般に上述された。そのような機能がハードウェアとして実装されるか、ソフトウェアとして実装されるかは、全体的なシステムに課された特定の用途と設計の制約とに依存する。当業者は、各特定の用途のために方法を変えて、記述された機能を実装し得るが、そのような実装の決定は、本開示の範囲からの逸脱を引き起こすと解釈されるべきではない。
【００５１】
ここでの開示に関連して記述された、様々な実例となる論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、離散ゲートもしくはトランジスタ論理、離散ハードウェアコンポーネント、又はここに記載された機能を実行するために設計されたそれらの任意の組み合わせで実装又は実行され得る。汎用プロセッサは、マイクロプロセッサであり得るが、その代わりに、プロセッサは、任意の従来のプロセッサ、コントローラ、マイクロコントローラ、又はステートマシンであってもよい。プロセッサは、例えば、ＤＳＰとマイクロプロセッサとの組合せ、複数のマイクロプロセッサ、ＤＳＰコアと連動する１以上のマイクロプロセッサ、又は任意の他のそのような構成としても実装され得る。
【００５２】
ここでの開示に関連して記載された方法又はアルゴリズムのステップは、ハードウェアで、プロセッサによって実行されるソフトウェアモジュール、又はその２つの組合せで、直接具体化され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、又は当業者に既知である他の形式の記憶媒体内に存在し得る。典型的な記憶媒体は、プロセッサが記憶媒体から情報を読み出し、記憶媒体に情報を書き込むことができるように、プロセッサにつながれる。その代わりに、記憶媒体はプロセッサに統合され得る。プロセッサと記憶媒体とは、ＡＳＩＣ内に存在し得る。ＡＳＩＣは、ユーザ端末内に存在し得る。その代わりに、プロセッサと記憶媒体とは、ユーザ端末内の個別の部品として存在してもよい。
【００５３】
１以上の典型的な設計では、記述された機能は、ハードウェア、ソフトウェア、ファームウェア、又はそれらの任意の組合せで実装され得る。ソフトウェアで実装された場合、その機能は、コンピュータ読み取り可能な媒体上の１以上の命令又はコードとして格納され得、又は送信され得る。コンピュータ読み取り可能な媒体は、コンピュータ記憶媒体と、ある場所から別の場所へのコンピュータプログラムの伝送を促進するあらゆる媒体を含む通信媒体との両方を含む。記憶媒体は、汎用又は専用コンピュータによってアクセスすることができる、あらゆる利用可能な媒体であり得る。限定ではなく例示のために、そのようなコンピュータ読み取り可能な媒体は、ＲＡＭ、ＲＯＭ、ＥＥＰＲＯＭ、ＣＤ−ＲＯＭもしくは他の光学ディスク記憶装置、磁気ディスク記憶装置もしくは他の磁気記憶装置、又は所望するプログラムコード手段を命令もしくはデータ構造の形式で搬送又は格納するために使用することができ、汎用もしくは専用コンピュータ、又は汎用もしくは専用プロセッサによってアクセスすることができるあらゆる他の媒体を含むことができる。さらに、あらゆる接続も、コンピュータ読み取り可能な媒体と適切に称される（termed）。例えば、同軸ケーブル、光ファイバケーブル、より対線、デジタル加入者線（ＤＳＬ）、又は赤外線、無線及びマイクロ波のような無線技術を使用して、ソフトウェアがウェブサイト、サーバ又は他の遠隔ソースから送信される場合、同軸ケーブル、光ファイバケーブル、より対線、ＤＳＬ、又は赤外線、無線及びマイクロ波のような無線技術は、媒体の定義に含まれる。ここで用いられるディスク（disk）及びディスク（disc）は、ディスク（discs）がレーザーで光学的に再生される一方で、ディスク（disks）は通常磁気的に再生される、コンパクトディスク（ＣＤ）、レーザーディスク（登録商標）、光ディスク、デジタルバーサタイルディスク（ＤＶＤ）、フロッピー（登録商標）ディスク、及びブルーレイディスクを含む。上記のものの組合せも、コンピュータ読み取り可能な媒体の範囲内に含まれるべきである。
【００５４】
本開示の上記記載は、あらゆる当業者が本開示を作り又は使用することを可能にするために提供される。本開示への様々な変形は当業者に容易に明白であり、ここで定義された一般的な原理は、本開示の精神又は範囲から逸脱することなく、他の変形に適用され得る。したがって、本開示は、ここに記載された例及び設計に制限されることは意図されず、ここに開示された原理及び新規な特徴と整合が取れる最も広い範囲と一致する。
【図１】
2012501597.tif 000004
【図２】
2012501597.tif 000005
【図３】
2012501597.tif 000006
【図４】
2012501597.tif 000007
【図５】
2012501597.tif 000008
【図６】
2012501597.tif 000009
【図７】
2012501597.tif 000010
【図８】
2012501597.tif 000011
【図９】
2012501597.tif 000012
【図１０】
2012501597.tif 000013
【図１１】
2012501597.tif 000014
【図１２】
2012501597.tif 000015
【図１３】
2012501597.tif 000016
【国際調査報告】
2012501597.tif 000017
2012501597.tif 000018
2012501597.tif 000019